(57)【特許請求の範囲】
【請求項１】
親回転体と子回転体との組合せからなる、以下の要件を備えることを特徴とする回転玩具。
（イ）上記親回転体は中空の筐体と、該筐体の内部に回転可能に配置されたフライホールとを有し、該フライホイールの軸の下端は上記筐体の下面から下方に突出していること
（ロ）上記フライホイールは上記筐体の外部から回転操作可能であること
（ハ）上記回転玩具体は上記フライホイールの軸の下端を接地させることにより、フライホイールの回転で間接的に回転させられること
（ニ）上記筐体の上面中央には上記子回転体の軸を保持する保持部が設けられていること
（ホ）上記保持部の内部には上記子回転体の軸の下端に係合する係合体が上下動可能に配置され、該係合体はスプリングで常に上方に付勢されていること
（へ）上記保持部の下方には上記係合体を係止する係止部材が配置され、係合体をスプリングに抗して押下した時には、該係合体はスプリングを圧縮した状態で上記係止部材に係止されること
（ト）上記係止部材は遠心力で外方に移動し、移動時には係合体の係止が解除され、子回転体はスプリングに付勢されて上記保持部から上方に弾き出されること
【発明の詳細な説明】
【０００１】
【発明の属する技術分野】
本発明は、回転玩具、詳しくは回転する親回転体から子回転体が分離して、親回転体とは独立して回転する回転玩具に関する。
【０００２】
【従来の技術】
従来、回転玩具としては独楽がよく知られ多くの子供に受け入れられているが、本来独楽は単に回転させて遊ぶものではなく、他の独楽と対戦させて遊ぶのが一般的であり、その対戦を有利にするために回転特性に特徴をもたせたものが色々提案され実用に供されている。
【０００３】
【発明が解決しようとする課題】
しかしながら、独楽自体は単独で回転するものであって、他の独楽と戦闘させる対戦独楽のような遊びをしない限りは単独で回して遊んでいても面白いものではなかった。
【０００４】
本発明は上記問題点を解消し、単独で回転させても楽しく、しかも回転動作に意外性があり、従来の独楽では味わうことのできない楽しさを味わうことができる回転玩具を提供することをその課題とする。
【０００５】
【課題を解決するための手段】
前記課題を解決するため、本発明に係る回転玩具は、親回転体と子回転体との組合せからなる、以下の要件を備えることを特徴とする。
（イ）上記親回転体は中空の筐体と、該筐体の内部に回転可能に配置されたフライホールとを有し、該フライホイールの軸の下端は上記筐体の下面から下方に突出していること
（ロ）上記フライホイールは上記筐体の外部から回転操作可能であること
（ハ）上記回転玩具体は上記フライホイールの軸の下端を接地させることにより、フライホイールの回転で間接的に回転させられること
（ニ）上記筐体の上面中央には上記子回転体の軸を保持する保持部が設けられていること
（ホ）上記保持部の内部には上記子回転体の軸の下端に係合する係合体が上下動可能に配置され、該係合体はスプリングで常に上方に付勢されていること
（へ）上記保持部の下方には上記係合体を係止する係止部材が配置され、係合体をスプリングに抗して押下した時には、該係合体はスプリングを圧縮した状態で上記係止部材に係止されること
（ト）上記係止部材は遠心力で外方に移動し、移動時には係合体の係止が解除され、子回転体はスプリングに付勢されて上記保持部から上方に弾き出され、親回転体から独立して回転すること
【０００６】
【発明の実施の形態】
図１及び図２は、本発明に係る回転玩具の一例を示す斜視図と分解斜視図とを示し、この回転玩具は親回転体１と、子回転体２との組合せからなるもので、親回転体１の側面に形成された開口部３からラックギヤ４が連続して形成されたスライダー５を挿通させ、スライダー５を引き抜き操作することにより内部に配置されたフライホイール１０を回転させて親回転体１を回転させ、親回転体１の回転が高速になると、親回転体１の上面に設けられた保持部１１に保持されている子回転体２が上方に放出され、親回転体１から離脱して独立して回転するようになっているものである。
【０００７】
親回転体１は、下部材１３ａと上部材１３ｂとから構成された中空の円板状の筐体１３と、この筐体１３の上に重合されたカバー部材１４とで全体として独楽を模して形成され、筐体１３の内部にはフライホイール１０が回転可能に配置されている。このフライホイール１０の下面には同軸上にピニオンギヤ１５が一体形成され、下部材１３ａに形成された嵌合凹部１６に嵌合する軸受１７と、上部材１３ｂに膨出形成された嵌合凹部１８に嵌合する軸受１９とで筐体１３に回転可能に軸支されている。
【０００８】
そして、フライホイール１０の軸体２０の下部は下部材１３ａを貫通し、下方に突出した軸体２０の下端には先端が半球状に形成された樹脂製の滑り部材２１が取り付けられ、回転時の接地面との摩擦が少なく回転を持続させることができるようになっている。
【０００９】
下部材１３ａにはスライダー５を挿通させる開口部３が形成され、この開口部３から挿通したスライダー５のラックギヤ４は上記フライホイール１０のピニオンギヤ１５に噛合し、スライダー５を強く引き操作することによりフライホイール１０を時計方向に高速で回転させることができるようになっている。
【００１０】
上部材１３ｂの上面には係止部材２７が配置されている。この係止部材２７は上部材１３ｂの上面に形成された支軸２５に長孔２８が係合して、係止部材２７は上部材１３ｂの径方向に移動可能に軸支されるとともに、上部材１３ｂに形成されたフック３０と係止部材２７に形成されたフック３１との間に掛け渡されたスプリング３２で常に内方に付勢されるとともに筐体１３の回転時には遠心力でスプリング３２に抗して外方に移動するようになっている。
【００１１】
この係止部材２７は連結部２７ａの両端から前方に脚片２７ｂが形成され平面視略コ字状に形成されたもので連結部２７ａの前面には前下がりの傾斜面を有する係止部２７ｃが形成され、後述する係合体４２の凹溝４１に噛み込んで係合体４２を係止するようになっている。
【００１２】
なお、符号３３は、親回転体１が係止部材２７のみでは重量の配分が偏ってしまうので、係止部材２７と対象の位置に配置して親回転体１の重量の均衡を保つためのバランス部材を示し、このバランス部材３３は嵌合孔３４に支軸２６が嵌合して上部材１３ｂ上に固定されている。
【００１３】
さらに、上記係止部材２７とバランス部材３３とは支軸２５、２６にネジ２９で固定されるカバー部材１４で覆われている。このカバー部材１４の中央は上方に円筒状に膨出して子回転体２を保持する保持部１１が形成されている。この保持部１１は上部には子回転体２の軸体２ａを差し込む挿入孔４０が形成されるとともに、内部には中央周面に凹溝４１が周設されるとともに下方が開口した円筒状の係合体４２と、この係合体４２を上方に付勢するスプリング４３とが収容されている。なお、係合体４２の上面には子回転体２の軸体２ａの先端に係合する係合孔４４が形成されている。
【００１４】
次に、上記構成の回転玩具の作動態様について説明する。
【００１５】
先ず、図３（ａ）に示すように、保持部１１に子回転体２を保持させる。このとき子回転体２の軸体２ａを保持部１１の挿入孔４０から充分に差し込むが、子回転体２の軸体２ａの先端は保持部１１の内部に配置された係合体４２の係合孔４４に係合するとともに係合体４２をスプリング４３に抗して押下することになる。係合体４２が押し下げられると係合体４２の下端周縁が係止部材２７の係止部２７ｃの斜面に当接し、係止部材２７をスプリング３２に抗して外方に押し退けながら更に下降することになり、係止部２７ａが係合体４２の凹溝４１に対応する位置になると、係止部材２７はスプリング３２に付勢されて内方に移動し、凹溝４１に噛み込んだ状態になって、係合部４２を係止して上昇を阻止する状態になり、子回転体２の押下を解除しても子回転体２は保持部１１に保持された状態になる（図４（ａ）参照）。
【００１６】
次に、親回転体１の側面に形成された開口部３からスライダー５を充分に挿通した後に、スライダー５を勢いよく引き抜けばよい。スライダー５のラックギヤ４はフライホイール１０のピニオンギヤ１５に噛合しているので、フライホイール１０を勢いよく回転させることになる。この状態で、親回転体１を接地させるとフライホイール１０が回転しているので接地面に起立した状態でセットされ、やがてフライホイール１０の回転が軸受１７、１９を介して筐体３に伝わり親回転体１全体が回転を始める（図３（ｂ）参照）。
【００１７】
親回転体１の回転が始まると、係止部材２７が遠心力で外方に移動しようとするがスプリング３２で内方に付勢されているため、親回転体１全体の回転が高速になるまでは係止部材２７は移動することができず係合体４２を係止しているので、子回転体２は保持部１１に保持された状態で親回転体１と一体で回転を続けることになる。
【００１８】
親回転体１の回転が高速になると、係止部材２７はスプリング３２に抗して徐々に外方に移動を始め、やがて係止部２７ａによる係合体４２の係止が外れる状態になる（図４（ｂ）参照）。
【００１９】
係合体４２の係止が解除されると、スプリング４３の弾発力で係合体４２は一気に弾き上げられ、子回転体２も係合体４２と一体に弾き上げられ、保持部１１から回転しながら打ち上げられ（図３（ｃ）参照）、着地して親回転体１とは独立して回転することになる（図４（ｄ）参照）。
【００２０】
上述のように、親回転体１に子回転体２をセットし、親回転体１の内部に配置されたフライホイール１０を高速で回転させると、やがて親回転体１自身が高速で回転するようになり、親回転体１が高速で回転するようになると子回転体２を保持部１１から弾き出す係合体４２を係止している係止部材２７が遠心力で徐々に周方向に移動し、係合体４２の係止を解除するので、係合体４２がスプリング４３の弾発力で上方に弾かれ、子回転体２を保持部１１から弾き出すので、親回転体１が回転を始めてから暫くすると子回転体２が親回転体１から飛び上がって離脱するので見る人に驚きと興味を与えることができる。
【００２１】
また、他の独楽玩具と対戦させたような場合も、子回転体２が相手の独楽玩具の回転に影響を与えることも可能になり、独楽玩具遊びの幅を広げることができる。
【００２２】
【発明の効果】
本発明によれば、フライホイールを回転させ、フライホールの回転に連動して親回転体の回転速度が徐々に上昇し親回転体の回転が高速になると、親回転体上に保持されていた子回転体が分離して親回転体から独立して回転することになり、単に回転するだけの所謂独楽玩具とは異なり、予期しない状態が発生するので回転玩具遊びをより興味深いものにすることができる。
【図面の簡単な説明】
【図１】本発明に係る、回転玩具の構成を説明する斜視図
【図２】上記回転玩具の構成を説明する分解斜視図
【図３】（ａ）〜（ｄ）は上記回転玩具の使用態様を説明する斜視図
【図４】（ａ）（ｂ）は上記回転玩具体の作動状態を説明する要部縦断面図
【符号の説明】
１  親回転体
２  子回転体
１０  フライホイール
１１  保持部
１３  筐体
２７  係止部材
４２  係合体
４３  スプリング
【図１】
0004044333.tif 000002
【図２】
0004044333.tif 000003
【図３】
0004044333.tif 000004
【図４】
0004044333.tif 000005